(57)【要約】【課題】この発明は、構成簡易にして、小形化の促進を図り得、且つ、設計を含む製作の自由度の向上を図り得るようにすることにある。【解決手段】外周壁に外部側からの水を遮蔽する水切り部１７２を有した筒状の弾性部材１７に水を遮断し、且つ、気体が通過するフィルタ１７３を取付けたグロメット１６を機器筐体１０の扉部１１に取付けて構成したものである。【選択図】図１
2010161115.tif 000002
【特許請求の範囲】
【請求項１】
少なくとも発熱体及びバッテリが収容配置された機器筐体と、
この機器筐体に着脱自在に設けられるものであって、外周壁に外部側からの水を遮蔽する水切り部を有した筒状の弾性部材に水を遮断し、且つ、気体が通過するフィルタが取付けられた複数のグロメットと、
を具備することを特徴とする屋外機器。
【請求項２】
前記機器筐体は、開閉自在な扉を有し、該扉に前記グロメットを着脱自在に設けたことを特徴とする請求項１記載の屋外機器。
【請求項３】
前記グロメットには、内径が外部側から内部方向に小径に形成された空気路を有することを特徴とする請求項１又は２記載の屋外機器。
【請求項４】
前記グロメットは、機器筐体の上部側に配置したことを特徴とする請求項１乃至３のいずれか記載の屋外機器。
【請求項５】
前記グロメットは、フィルタが弾性部材に交換可能に設けられることを特徴とする請求項１乃至４のいずれか記載の屋外機器。
【発明の詳細な説明】
【技術分野】
【０００１】
この発明は、例えば屋外基地局を含む通信機器等の電子機器システムに係り、特に、その電子ユニット等の発熱体及びバッテリが収容配置される屋外機器に関する。
【背景技術】
【０００２】
一般に、この種の電子機器システムにおいては、発熱体である複数種の電子ユニットを組み合わせて所望の性能特性を有するシステムを構築する方法が採用されている。このような電子機器システムに用いられる屋外機器は、例えば電子ユニットと共に、バッテリが機器筐体に収容配置され、この鉛蓄電池などのバッテリを電源として電子ユニット等の駆動制御が行われている。このため、屋外機器にあっては、電子ユニットの冷却を行うための排熱構造と共に、防水や換気構造が要求されている。
【０００３】
このような屋外機器としては、キャビネット状の本体部にルーバ付きファンカバーを設けて内部の熱を排熱し、この本体部を、バッテリ収容部を設けたベース部に設置することで、バッテリの過充電時などにバッテリ内部から発生した水素ガスを逃がすと共に、バッテリ収容部に雨水が浸入しないように構成したものが知られている（例えば、特許文献１参照。）。
【特許文献１】特許第３５２９９７７号公報
【発明の開示】
【発明が解決しようとする課題】
【０００４】
しかしながら、上記特許文献１に開示される筐体構成では、電子ユニットを本体部に収容して、バッテリをベース部に別体に収容配置する構成上、大形となると共に、電子ユニットの排熱構造と、バッテリの防水及び換気構造を備えなければならないうえ、電子ユニット及びバッテリの収容配置に制約を有するために、設計の自由度が劣るという問題を有する。
【０００５】
この発明は、上記の事情に鑑みてなされたもので、構成簡易にして、小形化の促進を図り得、且つ、設計を含む製作の自由度の向上を図り得るようにした屋外機器を提供することを目的とする。
【課題を解決するための手段】
【０００６】
この発明は、少なくとも発熱体及びバッテリが収容配置された機器筐体と、この機器筐体に着脱自在に設けられるものであって、外周壁に外部側からの水を遮蔽する水切り部を有した筒状の弾性部材に水を遮断し、且つ、気体が通過するフィルタが取付けられた複数のグロメットとを備えて屋外機器を構成した。
【０００７】
上記構成によれば、グロメットは、弾性部材の弾性を利用して、その水切り部が外部側に位置するように機器筐体に装着されることにより、そのフィルタが機器筐体内の空気を含む気体を外部側に排気して排熱及びガスの換気を行うと共に、外部からの水の侵入を阻止する。同時に、外部からの水は、弾性部材の水切り部により、外部に戻され、フィルタと協働して内部への侵入が阻止される。これにより、機器筐体内の発熱体の熱制御と共に、機器筐体の防水及び内部換気を効率よく実現したうえで、そのシステム設計を含む製作の簡略化を図ることが可能となる。
【発明の効果】
【０００８】
以上述べたように、この発明によれば、構成簡易にして、小形化の促進を図り得、且つ、設計を含む製作の自由度の向上を図り得るようにした屋外機器を提供することができる。
【発明を実施するための最良の形態】
【０００９】
以下、この発明の実施の形態について、図面を参照して詳細に説明する。
【００１０】
図１は、この発明の一実施の形態に係る屋外機器を示すもので、機器筐体１０には、例えば前面側に扉部１１が、開閉自在に設けられている。そして、この機器筐体１０及び扉部１１は、その周壁に日除け部材１２が必要に応じて取付けられ、取付具１３を用いて図示しないコンクリート柱等に設置されて外界にさらされる。この機器筐体１０には、例えば図２及び図３に示すように少なくとも発熱体である複数の電子ユニット１４、電源を構成するバッテリ、例えば鉛蓄電池１５が収容配置されて所望の電子システムが構築される。
【００１１】
上記扉部１１には、図４に示すように上部側に複数の円形状の開口１１１が形成され、この開口には、グロメット１６が着脱自在に取付けられる。この開口１１１は、例えば電子ユニット１４の発熱量及び鉛蓄電池１５に要求される換気面積Ｓに基づいて設定される。この換気面積Ｓは、鉛蓄電池１５の最大電流に基づいて設定され、充電電流（Ａ）をｉ、単電池（セル）の個数をｎ、安全係数をｓ、密閉反応効率（シール形蓄電池はａ＝０．２）をａとすると、
水素ガス発生に費やされる電流値：Ｉｎ＝ｉ×ｎ×ｓ×（１−ａ）…（１）
の式に基づいて電流値Ｉｎを算出し、既知の電池工業会換算グラフにより、換気面積Ｓを求める。この開口としては、例えば過充電時などにバッテリ内部から発生した水素ガスを排出する場合には、なるべく扉部の上部に配置することが望ましい。
【００１２】
例えば単電池（セル）の個数ｎ＝１２、安全係数ｓ＝１．５以上、密閉反応係数ａ＝０．２とした場合には、上記（１）式に基づいてＩｎ＝１７．３Ａ・セルとなり、上記電池工業会換算グラフにより、換気面積Ｓ＝３７ｃｍ2が求められる。
【００１３】
上記グロメット１６は、例えばシリコンゴム等の弾性材料を用いて図５及び図６に示すように断面円形をした筒状の弾性部材１７が形成される。この弾性部材１７は、内壁部が空気路１７１として構成され、その先端部（機器筐体外部側）の外周壁には、溝状の水切り部１７２が設けられる。
【００１４】
そして、弾性部材１７の基端部（機器筐体内部側）には、フィルタ固定部（図の都合上、図示せず）が埋設され、このフィルタ固定部（図示せず）には、フィルタ１７３が固定リング１７４及び螺子部材１７５を用いて交換可能に取付けられる。このフィルタ１７３は、先端部側面が防水性を有すると共に、基端部側から先端部側方向に空気、水素を含む気体が通過可能な特性を有し、螺子部材１７５を螺合調整して固定リング１７４を外すことで、容易に弾性部材１７より離脱させて交換することができる。
【００１５】
上記弾性部材１７の空気路１７１は、例えば内径が先端部側から基端部方向に小径に形成された傾斜状に設けられ、この空気路１７１の内壁を伝わって機器筐体１０内に雨水等の水の侵入を防止するように形成されている。これにより、外部からの水が弾性部材１７の内壁を伝ってフィルタ１７３まで到達するのを最小限に設定することが可能となり、防水の確実化の促進を図ることができる。
【００１６】
また、上記弾性部材１７の中間部の外周部には、取付溝１７６が上記扉部１１の開口１１１に対応して形成され、その弾性力を利用して取付溝１７６が扉部１１の開口１１１に嵌合されてグロメット１６が扉部１１に装着される。
【００１７】
ここで、グロメット１６は、雨水等の水が、弾性部材１７の内壁を伝わって扉部１１の開口１１１から機器筐体１０内に侵入が防止されるように形成されると共に、その水切り部１７２の作用により、弾性部材１７の外周壁から扉部１１の開口１１１に伝わって機器筐体１０内に侵入が阻止される。
【００１８】
また、グロメット１６のフィルタ１７３が目詰まりしたような場合には、螺子部材１７５を外して固定リング１７４を弾性部材１７から一旦、外し、新しいものと交換することで、再び、使用に供される。この際、弾性部材１７は、その弾性力を利用して扉部１１の開口１１１から取外して行うことも可能である。
【００１９】
なお、上記グロメット１６は、例えば経年変化した場合等、必要に応じてその取付溝１７６と扉部１１の開口１１１との間に防水性シール材等を充填することで、その開口１１１に対する所望の防水性能の確実化を図ることができる。
【００２０】
上記構成において、グロメット１６を扉部１１の開口１１１に装着する場合には、弾性部材１７の取付溝１７６が弾性力に抗して弾性変形させて開口１１１に嵌合させる。すると、弾性部材１７は、その水切り部１７２が扉部１１の外部側に位置され、フィルタ１７３が機器筐体１０内に位置されて扉部１１に装着される。
【００２１】
ここで、グロメット１６は、扉部１１を含む機器筐体１０の外面側を伝わって来た雨水等の水が弾性部材１７の水切り部１７２により機器筐体１０内への侵入が阻止される。同時に、機器筐体１０の外面側から伝わって来た水は、弾性部材１７の空気路１７１の作用と共に、フィルタ１７３の作用により、弾性部材１７の内壁部位からの浸入が阻止され、電子ユニット１４及び鉛蓄電池１５が水に濡れたりすることが防止される。
【００２２】
この状態で、機器筐体１０の電子ユニット１４で発生した熱は、グロメット１６のフィルタ１７３を通って機器筐体１０外に排出されて電子ユニット１４の熱制御が行われる。同時に、機器筐体１０は、その鉛蓄電池１５が過充電時などに内部から発生した水素ガスがフィルタ１７３を通って機器筐体１０外に排出され、換気が行われる。
【００２３】
このように、上記屋外機器は、外周壁に外部側からの水を遮蔽する水切り部１７２を有した筒状の弾性部材１７に水を遮断し、且つ、気体が通過するフィルタ１７３を取付けたグロメット１６を機器筐体１０の扉部１１に取付けて構成した。
【００２４】
これによれば、グロメット１６を、弾性部材１７の弾性を利用して、その水切り部１７２が外部側に位置するように機器筐体１０の扉部１１に取付けられることにより、そのフィルタ１７３が外部からの水の侵入を阻止しながら機器筐体１０内の空気を含む気体を外部側に排気して排熱及びガスの換気を行い、扉部１１を含む機器筐体１０の外面を伝わる水を、弾性部材１７の水切り部１７２により、外部に戻して、フィルタ１７３と協働して内部への侵入を阻止する。この結果、機器筐体１０内の電子ユニット１４の熱制御と共に、機器筐体１０の防水及び内部換気を効率よく実現したうえで、簡易な構成が実現され、そのシステム設計を含む製作の簡略化を図ることができる。
【００２５】
なお、上記実施の形態では、グロメット１６を機器筐体１０の扉部１１に設けるように構成した場合について説明したが、これに限ることなく、その他、扉部１１以外の機器筐体１０の壁面に設けるように構成することも可能である。
【００２６】
また、上記実施の形態では、グロメット１６を、断面円形をした筒状の弾性部材１７を用いて構成した場合について説明したが、これに限ることなく、その他、例えば断面形状を楕円、あるいは長円をした筒状の弾性部材を用いて構成することも可能で、同様に有効な効果が期待される。
【００２７】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００２８】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２９】
【図１】この発明の一実施の形態に係る屋外機器の要部を透視して示した平面図である。
【図２】図１の機器筐体から扉部を機器筐体から外して正面から見た状態を示した平面図である。
【図３】図１を側面から見た状態を示した平面図である。
【図４】図１の扉部からグロメットを取外した状態を示した分解斜視図である。
【図５】図１のグロメットを取出して側面から見た状態を示した平面図である。
【図６】図１のグロメットをフィルタ側から見た状態を示した平面図である。
【符号の説明】
【００３０】
１０…機器筐体、１１…扉部、１１１…開口、１２…日除け部材、１３…取付具、１４…電子ユニット、１５…鉛蓄電池、１６…グロメット、１７…弾性部材、１７１…空気路、１７２…水切り部、１７３…フィルタ、１７４…固定リング、１７５…螺子部材、１７６…取付溝。
【図１】
2010161115.tif 000003
【図２】
2010161115.tif 000004
【図３】
2010161115.tif 000005
【図４】
2010161115.tif 000006
【図５】
2010161115.tif 000007
【図６】
2010161115.tif 000008